(57)【要約】【課題】テレテキストページに配置されたデータを簡単且つ高速に見出す装置を提供する。【解決手段】データが入力されるデータ入力側とアドレス出力側とデータ出力側とを備えた取得ユニットを有し、データ出力側を介して取得ユニットと接続されており、取得ユニットよりデータが供給されるシフトレジスタを有し、アドレス出力側を介して取得ユニットと接続されており、第１のデータ線路を介してシフトレジスタと接続されているメモリインターフェースを有し、アドレス線路、信号線路及び第２のデータ線路を介してメモリインターフェースと接続されているメモリを有し、メモリにはシフトレジスタからメモリインターフェースを介してデータが供給され、検索語が記憶されるパターンメモリを有し、シフトレジスタ及びパターンメモリに接続されており、パターンメモリに記憶されている検索語と、シフトレジスタに記憶されている取得ユニットおよびメモリから供給されたデータとを比較する比較器を有する。【選択図】図１
2007141258.tif 000002
【特許請求の範囲】
【請求項１】
テレテキストページに配置されたデータを見出す装置において、
データが入力されるデータ入力側（ＤＴＤ）と、アドレス出力側（ＡＤＲ）と、データ出力側（ＤＡ）とを備えた取得ユニット（ＡＣＱ）を有し、
前記データ出力側（ＤＡ）を介して前記取得ユニット（ＡＣＱ）と接続されており、且つ該取得ユニット（ＡＣＱ）よりデータが供給されるシフトレジスタ（ＳＲ）を有し、
前記アドレス出力側（ＡＤＲ）を介して前記取得ユニット（ＡＣＱ）と接続されており、且つ第１のデータ線路（ＤＡ）を介して前記シフトレジスタ（ＳＲ）と接続されているメモリインタフェース（ＳＩ）を有し、
アドレス線路（ＡＤＲ）信号線路（ＷＥ）及び第２のデータ線路（ＤＡ）を介して前記メモリインタフェース（ＳＩ）と接続されているメモリ（Ｓ）を有し、該メモリ（Ｓ）には前記シフトレジスタ（ＳＲ）から前記メモリインタフェース（ＳＩ）を介してデータが供給され、
検索語が記憶されるパターンメモリ（ＺＳ）を有し、
前記シフトレジスタ（ＳＲ）及び前記パターンメモリ（ＺＳ）に接続されており、該パターンメモリ（ＺＳ）に記憶されている前記検索語と、該シフトレジスタ（ＳＲ）に記憶されている、前記取得ユニット（ＡＣＱ）および前記メモリ（Ｓ）から供給されたデータとを比較する比較器（Ｖ）を有することを特徴とする、テレテキストページに配置されたデータを見出す装置。
【発明の詳細な説明】
【技術分野】
【０００１】
本発明は、テレテキストページに配置されたデータを見出す装置に関する。
【背景技術】
【０００２】
テレテキストページにおけるオペレータガイドをシステムＦｌｏＦ、Ｔｏｐにより数字入力により実施すること、又は機能キー"＋／−"の押圧によるテレテキストページのページ開閉により実施することが公知である。ここで欠点となるのはページ番号の入力の場合には所望のページ番号が知られていなければならず、ＦｌｏＦシステムの場合には所定のツリー構造が使用され、またＴｏｐシステムの場合にはブロック及びサブグループに対する概念を用いることによってしか情報提供できないことである。テレテキストページにおける煩わしいページめくりの問題が残っている。
【０００３】
すべてのページリクエストメソッド（ページ番号、ページ"＋／−"、ＦｌｏＦ、ＴｏＰ）はページ番号指向であり、換言すればそれぞれのデコーダの取得回路には送信側により提案された手動で入力されるＴｏＰ／ＦｌｏＦページ番号又はユーザにより入力されるＴｏＰ／ＦｌｏＦページ番号又はユーザにより入力されたページ番号が供給される。供給されたページ番号はプログラミングされたページ番号と比較され、一致する場合ページ全体が読み込まれる。
【発明の開示】
【発明が解決しようとする課題】
【０００４】
本発明の目的ないし課題とするところはテレテキストページに配置されたデータを簡単且つ高速に見出す装置を提供することにある。
【課題を解決するための手段】
【０００５】
この課題は、装置が、データが入力されるデータ入力側と、アドレス出力側と、データ出力側とを備えた取得ユニットを有し、データ出力側を介して取得ユニットと接続されており、且つ取得ユニットよりデータが供給されるシフトレジスタを有し、アドレス出力側を介して取得ユニットと接続されており、且つ第１のデータ線路を介してシフトレジスタと接続されているメモリインターフェースを有し、アドレス線路、信号線路及び第２のデータ線路を介してメモリインターフェースと接続されているメモリを有し、メモリにはシフトレジスタからメモリインターフェースを介してデータが供給され、検索語が記憶されるパターンメモリを有し、シフトレジスタ及びパターンメモリに接続されており、パターンメモリに記憶されている検索語と、シフトレジスタに記憶されている、取得ユニットおよびメモリから供給されたデータとを比較する比較器を有することにより解決される。
【発明を実施するための最良の形態】
【０００６】
本発明のテレテキストページに配置されたデータを見出す装置では検索語の入力によりこのデータが見出される。
【０００７】
この検索語は文字のみならず数（値）によっても構成することができる。
られる。１つのページ全体が読み込まれると直ちに、検索語がシフトレジスタにおけるテレテキストページと比較される。テレテキストページにおいて検索語が見出されると、このテレテキストページは画像スクリーン上に表示される。本発明による方法では有利には１つの所定の知られていないページを直ちに中間ステップなしでテレテキストページサイクル全体のうちから直接的に表示することができる。オペレータは相応のテレテキストページシステムの操作についての情報も、ページ番号も必要なくなる。本発明による方法によって非専門的な操作者による操作が簡単化される。テレテキストページの検索を限定するため、"アンド"又は"オア"又は、"アンドおよびオア"と結合可能な複数の検索語を入力することも可能である。
【０００８】
しかしながら個別に又は条件付けて結合された検索語に対して自由に取り極められる領域を設定することもできる。この領域は検索語が見出された後自由に選択可能な判定尺度に従って評価され、その後は必要に応じて、ページ及び／又は検索語を表示することができる、及び／又は所定領域を表示することができる。
【０００９】
検索語の入力は種々の手法により行われ得る。
ａ）アルファニューメリックキーボードを介して行われるものであり、ここで、ＢＴＸをビデオテキストと組合すると殊に有利である。
ｂ）ユーザによってプログラミングされる検索語ページを介して行うものであり、ここにおいて、１度入力された検索語をカーソル上下の動きにより選ぶ。
ｃ）ソフトウエアを用いて行うものであり、これにより既に画像スクリーン上に表示されたテレテキストページのうちから１つの検索語を選択することができる。例えばこの検索語をカーソルによってマーキングするので、ここでも新たな入力は必要とされない。
【００１０】
メモリ中の１つのページにおいて、又は実際に到来する１つのページにおいて所期の検索語が見出された後に、この検索語に関連するページが表示される。所期の語は有利にはカラーで記憶されるか、別のやり方でマーキングされる。
【００１１】
従って、同一の検索語を持つ次のページを要求することができ、このページは１つのページが表示される時間内で既に検索される。
【００１２】
次ぎに図を用いて本発明を説明する。
【実施例】
【００１３】
図１はテレテキストページデコーダのデータ入力側ＤＴＤと、データ出力側ＤＡとアドレス出力側ＡＤＲとを有する取得ユニットＡＣＱを示す。データはデータ線路ＤＡを介してシフトレジスタＳＲに供給され、このシフトレジスタは２つのデータ出力側を有する。これら２つのデータ出力側はデータ線路ＤＡを介して比較器Ｖ及びメモリインターフェースＳＩに接続されている。取得ユニットＡＣＱのアドレス出力側はアドレス線路ＡＤＲを介してメモリインターフェースＳＩに接続されている。メモリインターフェースＳＩはアドレスをアドレス線路ＡＤＲを介して、また、データをデータ線路ＤＡを介して、また、信号を線路ＷＥを介してメモリＳに転送する。パターンメモリＺＳは比較器Ｖに接続されており、Ｉ2ＣバスＩから信号を受け取る。比較器ＶはメモリインターフェースＳＩ及び表示コントロールユニットＡＫＥに接続されている。表示コントロールユニットＡＫＥはデータ線路ＤＡを介して画像スクリーンユニットＢ及びメモリインターフェースに接続されている。
【００１４】
ユーザはリモートコントロール部を介して１つの検索語を入力する。この検索語はパターンメモリＺＳ内に記憶される。取得ユニットＡＣＱはテレテキストページデコーダＤＡのデータを受信する。このデータはシフトレジスタＳＲに転送される。比較器ＶはパターンメモリＺＳのデータとシフトレジスタのデータを比較する。相応のページが存在する場合、比較器は表示コントロールユニットＡＫＥ及びメモリインターフェースＳＩに、検索語を有するデータが存在する旨の情報を転送する。次いで、シフトレジスタＳＲはデータをメモリインターフェースＳＩに転送する。メモリインターフェースＳＩはデータをメモリ及び表示コントロールユニットＡＫＥへ転送する。次いでコントロールユニットＡＫＥからはデータが画像スクリーン上に表示される。テレテキストページが存在しなかった場合はそのことが画像スクリーン上に表示される。
【００１５】
図２はデータ読込のための構成のブロック接続図である。Ｉ2ＣバスＩの信号は取得ページ編成配列器ＡＣＱＰＭ及びパターンメモリＺＳに供給される。テレテキストページデコーダＤＴＤは信号を取得ユニットＡＣＱに供給する。ＡＣＱからのデータはシフトレジスタＳＲに供給され、かつ、線路Ｌ１を介して取得アドレス発生器ＡＣＱＡＧに供給される。この取得アドレス発生器ＡＣＱＡＧは更に線路Ｌ３を介して取得ページ編成配列器ＡＣＱＡＧから信号を受け取る。アドレス発生器ＡＣＱＡＧはそのようにして作成されたアドレスをメモリインターフェースＳＩに転送する。メモリインターフェースＳＩは線路を介してシフトレジスタＳＲからデータ情報を受け取る。メモリインターフェースＳＩは線路を介してアドレスコントロール信号Ａｄｄｒｃを受け取り、データ線路を介してメモリＳへ情報を転送する。ユーザがパターン列をリクエストすると、このパターン列は一時記憶メモリＺｓに記憶され、そして、比較器ＶはシフトレジスタＳＲの内容を一時記憶メモリＺｓ（の内容）と比較する。相応の検索語を有する或１つのページが見出された場合には、この情報は線路Ｌ２を介して取得ページ編成配列器ＡＣＱＰＭへ転送される。この取得ページ編成配列器ＡＣＱＰＭは線路Ｌ３を介して情報を前述のアドレス発生器ＡＣＱＡＧに供給し、そして情報はアドレスと共に線路Ａｄｄｒ及びデータ線路を介してメモリインターフェースＳＩにファイルされ、それに引き続いてメモリＳにファイルされる。
【００１６】
図３はデータ表示用構成のブロック接続図である。ディスプレイ発生器ＤＧはＲＧＢ出力側を有するパターン発生器ＣｈａｒＧｅｎと、ディスプレイアドレス発生器ＤｉｓｐＡＧと、出力側Ｌ１及びメモリ番号出力側Ｌ３及びＩ2ＣバスＩの入力側を有するディスプレイページ編成配列器ＤｉｓｐｌＰＭを具備する。ディスプレイアドレス発生器ＤｉｓｐＡＧはアドレス線路Ａｄｄｒを介してアドレスをメモリインターフェースＳＩに転送する。メモリインターフェースＳＩはページにおける同じパターンについての、情報を出力側に転送する。メモリインターフェースＳＩはページデータＰＤをシフトレジスタＳＲに転送する。比較器ＶはシフトレジスタＳＲのページをパターンメモリＺＳ（の内容）と比較し、出力側Ｌ２を介してある１つのページにおける同じパターンについての情報をアンド素子ＡＮＤに供給する。更に、アンド素子ＡＮＤはページデータＰＤを受け取り、これをパターン発生器ＣｈａｒＧｅｎに転送する。そのようにしてデータを表示することができる。メモリインターフェースＳＩは、データがアドレスコントロール線路ＡｄｄｒＣを介してリクエストされた後に、このデータをメモリＳから受け取る。
【００１７】
本発明の発展形態ではユーザは検索語を入力し、テレテキストページシステムはこの検索語に従って種々のプログラムを検索する。そのようにして所望のフィルムを長期の視点で検索することが可能であり、検索が成功した場合には、比較的長期間の経過後でもユーザに検索の結果が通報される。事前に選択できるリズムで結果を出力することができ、この結果の出力によって、検索が成功しなかったという結果をユーザに表示するか、その旨をユーザに通報する。
【００１８】
本発明の更なる発展形態では検索語はＬＣＤタッチ／スクリーンキーボードを介して入力され、そして、今や検索語として可用になる。
【００１９】
更に、前述のように入力される検索語を形成することができる、換言すれば、毎日、ユーザに対して、例えば、気象の情報、ルーブリック（Ｒｕｂｒｉｋ）の娯楽フィルムの情報及び例えば俳優ハインツリューマン（Ｈｅｉｎｚ  Ｒｕｅｈｍａｎｎ）によるフィルムが選び出される。この発展形態によってはテレテキストページから個々の提供物を検索することができる。このようにしてユーザに対して、毎日、個別的にユーザの編成されたテレテキストページ情報を迅速に表示することを可能にする。
【００２０】
また、種々の加入者に対して種々の検索判定尺度を入力し、それらを個別に表示することも可能である。そのようにして、様々な検索を実施することができる。一方では所定の児童用フィルム、他方では所定のドラマ又は所定のスポーツ放送を検索することができる。検索は、複数チューナが使用される場合は別として、通常の動作時には１つのチャネルに制限されるが、スタンバイ動作中はすべてのチャネルを検索できる。有利には新たに生成されたビデオテキストページにおける検索結果を日付、時間、プログラムロケーションに従ってリストすることができる。
【図面の簡単な説明】
【００２１】
【図１】本発明の回路構成の実施例のブロック接続図である。
【図２】取得のための構成の実施例のブロック接続図である。
【図３】画像表示のための構成の実施例のブロック接続図である。
【符号の説明】
【００２２】
ＤＴＤ  データ入力側、  ＡＣＱ  取得ユニット、  ＡＤＲ  アドレス出力側、  ＳＩ  メモリインターフェース、  Ｓ  メモリ、  ＳＲ  シフトレジスタ、  Ｖ  比較器、  ＺＳ  パターンメモリ、  ＡＫＥ  表示コントロールユニット、  Ｂ  画像スクリーンユニット
【図１】
2007141258.tif 000003
【図２】
2007141258.tif 000004
【図３】
2007141258.tif 000005